(57)【特許請求の範囲】
【請求項１】
サーバから、移動体通信システムの通信回線を利用して、情報を受信する携帯通信端末であって、
前記通信回線が、携帯電話回線または無線ＬＡＮ通信回線のいずれの通信回線であるかを判断する回線判断部と、
特定のコンテンツについて情報を要求する情報要求を前記サーバに送信する要求部と、
前記特定のコンテンツに対応付けられる情報であって、前記携帯通信端末の表示部に表示させる表示形式の種類に応じて情報量が異なる複数種類の表示情報のうち、前記要求部が送信する情報要求に従って要求する種類の表示情報を、前記回線判断部の判断結果に応じて、前記回線判断部により、前記通信回線が無線ＬＡＮ通信回線であると判断された結果に応じて決定する表示情報の種類の数より、前記回線判断部により、前記通信回線が携帯電話回線であると判断された結果に応じて決定する表示情報の種類の数を少なく決定する決定部と、
前記決定部が決定した種類の表示情報を、前記サーバから受信する受信部と、を備え、
前記決定部は、前記回線判断部により、前記通信回線が携帯電話回線であると判断されたとき、前記特定のコンテンツに対応付けられる複数種類の前記表示情報のうちで情報量が大きい種類の表示情報を除いて、前記複数種類の表示情報より少ない数の種類の表示情報を決定する、ことを特徴とする携帯通信端末。
【請求項２】
サーバから、移動体通信システムの通信回線を利用して、情報を受信する携帯通信端末であって、
前記通信回線が、携帯電話回線または無線ＬＡＮ通信回線のいずれの通信回線であるかを判断する回線判断部と、
特定のコンテンツについて情報を要求する情報要求を前記サーバに送信する要求部と、
前記特定のコンテンツに対応付けられる情報であって、前記携帯通信端末の表示部に表示させる表示形式の種類に応じて情報量が異なる複数種類の表示情報のうち、前記要求部が送信する情報要求に従って要求する種類の表示情報を、前記回線判断部の判断結果に応じて、前記回線判断部により、前記通信回線が無線ＬＡＮ通信回線であると判断された結果に応じて決定する表示情報の種類の数より、前記回線判断部により、前記通信回線が携帯電話回線であると判断された結果に応じて決定する表示情報の種類の数を少なく決定する決定部と、
前記決定部が決定した種類の表示情報を、前記サーバから受信する受信部と、を備え、
前記決定部は、前記特定のコンテンツに対応付けられる複数種類の前記表示情報のうち、表示された回数が多い種類の表示情報の優先順位を高く定め、前記回線判断部により、前記通信回線が携帯電話回線であると判断されたとき、優先順位が高く定められる表示された回数が多い表示情報を、前記複数種類の表示情報より少ない数の種類の表示情報に決定する、ことを特徴とする携帯通信端末。
【請求項３】
サーバから、移動体通信システムの通信回線を利用して、情報を受信する携帯通信端末であって、
前記通信回線が、携帯電話回線または無線ＬＡＮ通信回線のいずれの通信回線であるかを判断する回線判断部と、
特定のコンテンツについて情報を要求する情報要求を前記サーバに送信する要求部と、
前記特定のコンテンツに対応付けられる情報であって、前記携帯通信端末の表示部に表示する歌詞の表示形式の種類に応じて情報量が異なる複数種類の表示情報のうち、前記要求部が送信する情報要求に従って要求する種類の表示情報を、前記回線判断部の判断結果に応じて、前記回線判断部により、前記通信回線が無線ＬＡＮ通信回線であると判断された結果に応じて決定する表示情報の種類の数より、前記回線判断部により、前記通信回線が携帯電話回線であると判断された結果に応じて決定する表示情報の種類の数を少なく決定する決定部と、
前記決定部が決定した種類の表示情報を、前記サーバから受信する受信部と、
前記サーバから受信する表示情報を表示部に表示させる表示制御部と、
前記複数種類の表示情報のうちで、前記表示部に表示する表示情報の種類を指定する指定部と、を備え、
前記決定部は、前記回線判断部により、前記通信回線が携帯電話回線であると判断されたとき、前記指定部により表示部に表示すると指定された種類の表示情報を含む、前記複数種類の表示情報より少ない数の種類の表示情報を決定する、ことを特徴とする携帯通信端末。
【請求項４】
サーバから、移動体通信システムの通信回線を利用して、情報を受信する携帯通信端末であって、
前記通信回線が、携帯電話回線または無線ＬＡＮ通信回線のいずれの通信回線であるかを判断する回線判断部と、
特定のコンテンツについて情報を要求する情報要求を前記サーバに送信する要求部と、
前記回線判断部により、前記通信回線が携帯電話回線であると判断されたとき、前記携帯電話回線により、所定の期間に通信された通信量が、前記所定の期間の所定の閾値より多いか否かを判断する通信量判断部と、
前記通信量判断部により、所定の閾値より多いと判断されたとき、前記要求部が送信する情報要求に従って要求する情報の種類の数を、前記所定の期間の通信量が多いと判断された前記閾値に応じて制限する制限部と、
前記特定のコンテンツに対応付けられる情報であって、前記携帯通信端末の表示部に表示する歌詞の表示形式の種類に応じて情報量が異なる複数種類の表示情報のうち、前記要求部が送信する情報要求に従って要求する種類の表示情報を、前記回線判断部の判断結果に応じて、前記回線判断部により、前記通信回線が無線ＬＡＮ通信回線であると判断された結果に応じて決定する表示情報の種類の数より、前記回線判断部により、前記通信回線が携帯電話回線であると判断された結果に応じて決定する表示情報の種類の数を少なく決定する決定部と、
前記制限部により前記所定の期間の通信量に応じて制限された数の種類の情報であって、且つ、前記決定部が決定した種類の表示情報を、前記サーバから受信する受信部と、
を備えることを特徴とする携帯通信端末。
【請求項５】
前記複数種類の表示情報は、前記携帯通信端末の表示部に表示する歌詞の表示形式が異なる複数種類の表示情報であり、
前記サーバから受信する表示情報を表示部に表示させる表示制御部と、
前記複数種類の表示情報のうちで、前記表示部に表示する表示情報の種類を指定する指定部と、を備え、
前記決定部は、前記回線判断部により、前記通信回線が携帯電話回線であると判断されたとき、前記指定部により表示部に表示すると指定された種類の表示情報を含む、前記複数種類の表示情報より少ない数の種類の表示情報を決定する、ことを特徴とする請求項１に記載の携帯通信端末。
【請求項６】
前記回線判断部により、前記通信回線が携帯電話回線であると判断されたとき、前記携帯電話回線により、所定の期間に通信された通信量が、前記所定の期間の所定の閾値より多いか否かを判断する通信量判断部と、
前記通信量判断部により、所定の閾値より多いと判断されたとき、前記要求部が送信する情報要求に従って要求する表示情報の種類の数を、前記所定の期間の通信量が多いと判断された前記閾値に応じて制限する制限部と、をさらに備え、
前記受信部は、前記制限部により前記所定の期間の通信量に応じて制限された数の種類の表示情報であって、且つ、前記決定部が決定した種類の表示情報を、前記サーバから受信する、ことを特徴とする請求項１または２に記載の携帯通信端末。
【請求項７】
サーバから、移動体通信システムの通信回線を利用して、情報を受信する携帯通信端末に用いられる通信プログラムであって、
前記通信回線が、携帯電話回線または無線ＬＡＮ通信回線のいずれの通信回線であるかを判断する回線判断ステップと、
特定のコンテンツについて情報を要求する情報要求を前記サーバに送信する要求ステップと、
前記特定のコンテンツに対応付けられる情報であって、前記携帯通信端末の表示部に表示させる表示形式の種類に応じて情報量が異なる複数種類の表示情報のうち、前記要求ステップが送信する情報要求に従って要求する種類の表示情報を、前記回線判断ステップの判断結果に応じて、前記回線判断ステップにより、前記通信回線が無線ＬＡＮ通信回線であると判断された結果に応じて決定する表示情報の種類の数より、前記回線判断ステップにより、前記通信回線が携帯電話回線であると判断された結果に応じて決定する表示情報の種類の数を少なく決定する決定ステップと、
前記決定ステップが決定した種類の表示情報を、前記サーバから受信する受信ステップと、を備え、
前記決定ステップは、前記回線判断ステップにより、前記通信回線が携帯電話回線であると判断されたとき、前記特定のコンテンツに対応付けられる複数種類の前記表示情報のうちで情報量が大きい種類の表示情報を除いて、前記複数種類の情報より少ない数の種類の表示情報を決定する、ことを特徴とする通信プログラム。
【請求項８】
サーバから、移動体通信システムの通信回線を利用して、情報を受信する携帯通信端末に用いられる通信プログラムであって、
前記通信回線が、携帯電話回線または無線ＬＡＮ通信回線のいずれの通信回線であるかを判断する回線判断ステップと、
特定のコンテンツについて情報を要求する情報要求を前記サーバに送信する要求ステップと、
前記特定のコンテンツに対応付けられる情報であって、前記携帯通信端末の表示部に表示させる表示形式の種類に応じて情報量が異なる複数種類の表示情報のうち、前記要求ステップが送信する情報要求に従って要求する種類の表示情報を、前記回線判断ステップの判断結果に応じて、前記回線判断ステップにより、前記通信回線が無線ＬＡＮ通信回線であると判断された結果に応じて決定する表示情報の種類の数より、前記回線判断ステップにより、前記通信回線が携帯電話回線であると判断された結果に応じて決定する表示情報の種類の数を少なく決定する決定ステップと、
前記決定ステップが決定した種類の表示情報を、前記サーバから受信する受信ステップと、を備え、
前記決定ステップは、前記特定のコンテンツに対応付けられる複数種類の前記表示情報のうち、表示された回数が多い種類の表示情報の優先順位を高く定め、前記回線判断ステップにより、前記通信回線が携帯電話回線であると判断されたとき、優先順位が高く定められる表示された回数が多い表示情報を、前記複数種類の表示情報より少ない数の種類の表示情報に決定する、ことを特徴とする通信プログラム。
【請求項９】
サーバから、移動体通信システムの通信回線を利用して、情報を受信する携帯通信端末に用いられる通信プログラムであって、
前記通信回線が、携帯電話回線または無線ＬＡＮ通信回線のいずれの通信回線であるかを判断する回線判断ステップと、
特定のコンテンツについて情報を要求する情報要求を前記サーバに送信する要求ステップと、
前記特定のコンテンツに対応付けられる情報であって、前記携帯通信端末の表示部に表示する歌詞の表示形式の種類に応じて情報量が異なる複数種類の表示情報のうち、前記要求ステップが送信する情報要求に従って要求する種類の表示情報を、前記回線判断ステップの判断結果に応じて、前記回線判断ステップにより、前記通信回線が無線ＬＡＮ通信回線であると判断された結果に応じて決定する表示情報の種類の数より、前記回線判断ステップにより、前記通信回線が携帯電話回線であると判断された結果に応じて決定する表示情報の種類の数を少なく決定する決定ステップと、
前記決定ステップが決定した種類の表示情報を、前記サーバから受信する受信ステップと、
前記サーバから受信する表示情報を表示部に表示させる表示制御ステップと、
前記複数種類の表示情報のうちで、前記表示部に表示する表示情報の種類を指定する指定ステップと、を備え、
前記複数種類の情報は、前記携帯通信端末の表示部に表示する歌詞の表示形式が異なる複数種類の表示情報であり、
前記決定ステップは、前記回線判断ステップにより、前記通信回線が携帯電話回線であると判断されたとき、前記指定ステップにより表示部に表示すると指定された種類の表示情報を含む、前記複数種類の表示情報より少ない数の種類の表示情報を決定する、ことを特徴とする通信プログラム。
【請求項１０】
サーバから、移動体通信システムの通信回線を利用して、情報を受信する携帯通信端末に用いられる通信プログラムであって、
前記通信回線が、携帯電話回線または無線ＬＡＮ通信回線のいずれの通信回線であるかを判断する回線判断ステップと、
特定のコンテンツについて情報を要求する情報要求を前記サーバに送信する要求ステップと、
前記回線判断ステップにより、前記通信回線が携帯電話回線であると判断されたとき、前記携帯電話回線により、所定の期間に通信された通信量が、前記所定の期間の所定の閾値より多いか否かを判断する通信量判断ステップと、
前記通信量判断ステップにより、所定の閾値より多いと判断されたとき、前記要求ステップが送信する情報要求に従って要求する情報の種類の数を、前記所定の期間の通信量が多いと判断された前記閾値に応じて制限する制限ステップと、
前記特定のコンテンツに対応付けられる情報であって、前記携帯通信端末の表示部に表示する歌詞の表示形式の種類に応じて情報量が異なる複数種類の表示情報のうち、前記要求ステップが送信する情報要求に従って要求する種類の表示情報を、前記回線判断ステップの判断結果に応じて、前記回線判断ステップにより、前記通信回線が無線ＬＡＮ通信回線であると判断された結果に応じて決定する表示情報の種類の数より、前記回線判断ステップにより、前記通信回線が携帯電話回線であると判断された結果に応じて決定する表示情報の種類の数を少なく決定する決定ステップと、
前記制限ステップにより前記所定の期間の通信量に応じて制限された数の種類の情報であって、且つ、前記決定ステップが決定した種類の表示情報を、前記サーバから受信する受信ステップと、
を備えることを特徴とする通信プログラム。
【請求項１１】
サーバと、移動体通信システムの通信回線を利用して、前記サーバから情報を受信する携帯通信端末とからなる情報通信システムであって、
前記携帯通信端末は、
特定のコンテンツについて情報を要求する情報要求を前記サーバに送信する要求部と、
前記要求部が送信した情報要求に従って前記サーバが送信する種類の情報を受信する受信部と、を有し、
前記通信回線が、携帯電話回線または無線ＬＡＮ通信回線のいずれの通信回線であるかを判断する回線判断部と、
前記特定のコンテンツに対応付けられる情報であって、前記携帯通信端末の表示部に表示させる表示形式の種類に応じて情報量が異なる複数種類の表示情報のうち、前記要求部が送信する情報要求に従って要求する種類の表示情報を、前記回線判断部の判断結果に応じて、前記回線判断部により、前記通信回線が無線ＬＡＮ通信回線であると判断された結果に応じて決定する表示情報の種類の数より、前記回線判断部により、前記通信回線が携帯電話回線であると判断された結果に応じて決定する表示情報の種類の数を少なく決定する決定する決定部と、を備え、
前記決定部は、前記回線判断部により、前記通信回線が携帯電話回線であると判断されたとき、前記特定のコンテンツに対応付けられる複数種類の前記表示情報のうちで情報量が大きい種類の表示情報を除いて、前記複数種類の表示情報より少ない数の種類の表示情報を決定する、
ことを特徴とする情報通信システム。
【請求項１２】
サーバと、移動体通信システムの通信回線を利用して、前記サーバから情報を受信する携帯通信端末とからなる情報通信システムであって、
前記携帯通信端末は、
特定のコンテンツについて情報を要求する情報要求を前記サーバに送信する要求部と、
前記要求部が送信した情報要求に従って前記サーバが送信する種類の情報を受信する受信部と、を有し、
前記通信回線が、携帯電話回線または無線ＬＡＮ通信回線のいずれの通信回線であるかを判断する回線判断部と、
前記特定のコンテンツに対応付けられる情報であって、前記携帯通信端末の表示部に表示させる表示形式の種類に応じて情報量が異なる複数種類の表示情報のうち、前記要求部が送信する情報要求に従って要求する種類の表示情報を、前記回線判断部の判断結果に応じて、前記回線判断部により、前記通信回線が無線ＬＡＮ通信回線であると判断された結果に応じて決定する表示情報の種類の数より、前記回線判断部により、前記通信回線が携帯電話回線であると判断された結果に応じて決定する表示情報の種類の数を少なく決定する決定する決定部と、を備え、
前記決定部は、前記特定のコンテンツに対応付けられる複数種類の前記表示情報のうち、表示された回数が多い種類の表示情報の優先順位を高く定め、前記回線判断部により、前記通信回線が携帯電話回線であると判断されたとき、優先順位が高く定められる表示された回数が多い表示情報を、前記複数種類の表示情報より少ない数の種類の表示情報に決定する、ことを特徴とする情報通信システム。
【請求項１３】
サーバと、移動体通信システムの通信回線を利用して、前記サーバから情報を受信する携帯通信端末とからなる情報通信システムであって、
前記携帯通信端末は、
特定のコンテンツについて情報を要求する情報要求を前記サーバに送信する要求部と、
前記要求部が送信した情報要求に従って前記サーバが送信する種類の情報を受信する受信部と、を有し、
前記通信回線が、携帯電話回線または無線ＬＡＮ通信回線のいずれの通信回線であるかを判断する回線判断部と、
前記特定のコンテンツに対応付けられる情報であって、前記携帯通信端末の表示部に表示する歌詞の表示形式の種類に応じて情報量が異なる複数種類の表示情報のうち、前記要求部が送信する情報要求に従って要求する種類の表示情報を、前記回線判断部の判断結果に応じて、前記回線判断部により、前記通信回線が無線ＬＡＮ通信回線であると判断された結果に応じて決定する表示情報の種類の数より、前記回線判断部により、前記通信回線が携帯電話回線であると判断された結果に応じて決定する表示情報の種類の数を少なく決定する決定する決定部と、
前記サーバから受信する表示情報を表示部に表示させる表示制御部と、
前記複数種類の表示情報のうちで、前記表示部に表示する表示情報の種類を指定する指定部と、を備え、
前記決定部は、前記回線判断部により、前記通信回線が携帯電話回線であると判断されたとき、前記指定部により表示部に表示すると指定された種類の表示情報を含む、前記複数種類の表示情報より少ない数の種類の表示情報を決定する、ことを特徴とする情報通信システム。
【請求項１４】
サーバと、移動体通信システムの通信回線を利用して、前記サーバから情報を受信する携帯通信端末とからなる情報通信システムであって、
前記携帯通信端末は、
特定のコンテンツについて情報を要求する情報要求を前記サーバに送信する要求部と、
前記要求部が送信した情報要求に従って前記サーバが送信する種類の情報を受信する受信部と、を有し、
前記通信回線が、携帯電話回線または無線ＬＡＮ通信回線のいずれの通信回線であるかを判断する回線判断部と、
前記回線判断部により、前記通信回線が携帯電話回線であると判断されたとき、前記携帯電話回線により、所定の期間に通信された通信量が、前記所定の期間の所定の閾値より多いか否かを判断する通信量判断部と、
前記通信量判断部により、所定の閾値より多いと判断されたとき、前記要求部が送信する情報要求に従って要求する情報の種類の数を、前記所定の期間の通信量が多いと判断された前記閾値に応じて制限する制限部と、
前記特定のコンテンツに対応付けられる情報であって、前記携帯通信端末の表示部に表示する歌詞の表示形式の種類に応じて情報量が異なる複数種類の表示情報のうち、前記要求部が送信する情報要求に従って要求する種類の表示情報を、前記回線判断部の判断結果に応じて、前記回線判断部により、前記通信回線が無線ＬＡＮ通信回線であると判断された結果に応じて決定する表示情報の種類の数より、前記回線判断部により、前記通信回線が携帯電話回線であると判断された結果に応じて決定する表示情報の種類の数を少なく決定する決定する決定部と、
前記制限部により前記所定の期間の通信量に応じて制限された数の種類の情報であって、且つ、前記決定部が決定した種類の表示情報を、前記サーバから受信する受信部と、
を備えることを特徴とする情報通信システム。
【請求項１５】
サーバと、移動体通信システムの通信回線を利用して、前記サーバから情報を受信する携帯通信端末とからなる情報通信システムであって、
前記携帯通信端末は、
特定のコンテンツについて情報を要求する情報要求を前記サーバに送信する要求部と、
前記要求部が送信した情報要求に従って前記サーバが送信する種類の情報を受信する受信部と、を有し、
前記通信回線が、携帯電話回線または無線ＬＡＮ通信回線のいずれの通信回線であるかを判断する回線判断部と、
前記特定のコンテンツに対応付けられる情報であって、表現形式の種類に応じて情報量が異なる複数種類の情報のうち、前記要求部が送信する情報要求に従って要求する種類の情報を、前記回線判断部の判断結果に応じて、前記回線判断部により、前記通信回線が無線ＬＡＮ通信回線であると判断された結果に応じて決定する情報の種類の数より、前記回線判断部により、前記通信回線が携帯電話回線であると判断された結果に応じて決定する情報の種類の数を少なく決定する決定する決定部と、を備え、
前記サーバは、前記各コンテンツに対応する複数種類の情報の各々について、過去にサーバが前記携帯通信端末に送信した回数を記憶しており、
前記決定部は、前記複数種類の情報の各々について送信された前記回数が多い種類の情報を、前記要求部が送信する情報要求に従って要求する種類の情報と決定する、
ことを特徴とする情報通信システム。
【発明の詳細な説明】
【技術分野】
【０００１】
本発明は、移動体通信システムで用いられる通信回線を介して、複数種類の情報を管理するサーバから、情報を取得する携帯通信端末に関する。通信回線の通信速度は、その通信回線の種類により異なる。例えば、無線ＬＡＮ通信と携帯電話回線の通信とでは、通信速度は異なる。特に、本発明は、通信速度が異なる複数種類の通信回線を使用可能なとき、使用する通信回線の種類に応じて異なる情報量を、サーバから取得することにより、複数種類の通信回線のうち、通信速度が遅い種類の回線を使用するときであっても、必要な情報を迅速に取得することを可能にする携帯通信端末、通信プログラム、及び情報通信システムに関する。
【背景技術】
【０００２】
従来、インターネットを介してカラオケ曲の歌詞テロップを取得し、カラオケ曲の演奏時に、その取得した歌詞テロップを表示画面に表示するカラオケ装置がある。カラオケ装置は、カラオケ曲に対応する複数種類の歌詞テロップのデータを取得すると、複数の表示態様で歌詞テロップを表示することが可能である。例えば、特許文献１に記載のカラオケ装置は、楽曲データと、歌詞テロップを種々の表示態様に切り換えるための拡張データとを、各データを蓄積するセンタからダウンロードする。拡張データは、例えば、歌詞の表示フォントやルビのフォントの表示態様が異なる複数の拡張歌詞トラックで構成される。拡張データをダウンロードしたカラオケ装置は、楽曲データに従うカラオケ曲の演奏中に、リモコンに設けられる歌詞変更ボタンがユーザにより押下されると、表示画面に表示させるカラオケ曲の歌詞の表示態様を変更する。
【先行技術文献】
【特許文献】
【０００３】
【特許文献１】特開２００６−２７６７１５号公報
【発明の概要】
【発明が解決しようとする課題】
【０００４】
近年では、カラオケ店舗に設置されるカラオケ装置と同様のカラオケ機能が、携帯電話、スマートフォンやタブレット端末などの携帯通信端末で実現されている。携帯通信端末は、無線ＬＡＮ及び携帯電話回線などの種類が異なる複数の通信回線を、選択的に切り換えて通信をすることが可能である。例えば、携帯通信端末は、カラオケ機能を使用するとき、無線ＬＡＮまたは携帯電話回線の通信により、カラオケ楽曲の再生にあわせて表示画面に表示する歌詞を、サーバから取得する。
【０００５】
しかしながら、通信速度は、通信回線の種類によってそれぞれ異なる。複数種類の通信回線のうち、通信速度が遅い種類の回線を使用するとき、必要な情報を迅速に取得することができない。一般に、携帯電話回線の通信速度は、無線ＬＡＮの通信速度より遅い。携帯通信端末が、携帯電話回線を使用して、特許文献１に記載のカラオケ装置のように、表示態様が異なる複数の拡張歌詞トラックを構成する拡張データを取得すると、複数の拡張歌詞トラックのうち、特定の拡張歌詞トラックのみが必要な場合であっても、拡張データがまとめて取得される。このため、携帯電話回線を介して拡張歌詞トラックを取得する携帯通信端末は、複数の拡張歌詞トラック分のデータ量を、拡張データとしてまとめて取得する必要があるため、必要な表示態様の拡張歌詞トラックを取得するために時間がかかり、再生実行までに比較的長い待ち時間がユーザに発生するおそれがある。
【０００６】
本発明は、上述した事情に鑑みてなされたものである。本発明の目的は、複数種類の通信回線を用いて情報を取得可能な場合に、利用する通信回線の種類を判断し、取得する情報量を異ならせる携帯通信端末を提供することである。特に、携帯電話回線により通信を行うときは、無線ＬＡＮにより通信を行うときより少ない情報を、サーバから取得する携帯通信端末、通信プログラム、及び情報通信システムを提供する。
【課題を解決するための手段】
【０００７】
請求項１記載の携帯通信端末は、サーバから、移動体通信システムの通信回線を利用して、情報を受信する携帯通信端末であって、前記通信回線が、携帯電話回線または無線ＬＡＮ通信回線のいずれの通信回線であるかを判断する回線判断部と、特定のコンテンツについて情報を要求する情報要求を前記サーバに送信する要求部と、前記特定のコンテンツに対応付けられる情報であって、前記携帯通信端末の表示部に表示させる表示形式の種類に応じて情報量が異なる複数種類の表示情報のうち、前記要求部が送信する情報要求に従って要求する種類の表示情報を、前記回線判断部の判断結果に応じて、前記回線判断部により、前記通信回線が無線ＬＡＮ通信回線であると判断された結果に応じて決定する表示情報の種類の数より、前記回線判断部により、前記通信回線が携帯電話回線であると判断された結果に応じて決定する表示情報の種類の数を少なく決定する決定部と、前記決定部が決定した種類の表示情報を、前記サーバから受信する受信部と、を備え、前記決定部は、前記回線判断部により、前記通信回線が携帯電話回線であると判断されたとき、前記特定のコンテンツに対応付けられる複数種類の前記表示情報のうちで情報量が大きい種類の表示情報を除いて、前記複数種類の表示情報より少ない数の種類の表示情報を決定する、ことを特徴とする。
【０００９】
請求項２記載の携帯通信端末は、サーバから、移動体通信システムの通信回線を利用して、情報を受信する携帯通信端末であって、前記通信回線が、携帯電話回線または無線ＬＡＮ通信回線のいずれの通信回線であるかを判断する回線判断部と、特定のコンテンツについて情報を要求する情報要求を前記サーバに送信する要求部と、前記特定のコンテンツに対応付けられる情報であって、前記携帯通信端末の表示部に表示させる表示形式の種類に応じて情報量が異なる複数種類の表示情報のうち、前記要求部が送信する情報要求に従って要求する種類の表示情報を、前記回線判断部の判断結果に応じて、前記回線判断部により、前記通信回線が無線ＬＡＮ通信回線であると判断された結果に応じて決定する表示情報の種類の数より、前記回線判断部により、前記通信回線が携帯電話回線であると判断された結果に応じて決定する表示情報の種類の数を少なく決定する決定部と、前記決定部が決定した種類の表示情報を、前記サーバから受信する受信部と、を備え、前記決定部は、前記特定のコンテンツに対応付けられる複数種類の前記表示情報のうち、表示された回数が多い種類の表示情報の優先順位を高く定め、前記回線判断部により、前記通信回線が携帯電話回線であると判断されたとき、優先順位が高く定められる表示された回数が多い表示情報を、前記複数種類の表示情報より少ない数の種類の表示情報に決定する、ことを特徴とする。
【００１０】
請求項３記載の携帯通信端末は、サーバから、移動体通信システムの通信回線を利用して、情報を受信する携帯通信端末であって、前記通信回線が、携帯電話回線または無線ＬＡＮ通信回線のいずれの通信回線であるかを判断する回線判断部と、特定のコンテンツについて情報を要求する情報要求を前記サーバに送信する要求部と、前記特定のコンテンツに対応付けられる情報であって、前記携帯通信端末の表示部に表示する歌詞の表示形式の種類に応じて情報量が異なる複数種類の表示情報のうち、前記要求部が送信する情報要求に従って要求する種類の表示情報を、前記回線判断部の判断結果に応じて、前記回線判断部により、前記通信回線が無線ＬＡＮ通信回線であると判断された結果に応じて決定する表示情報の種類の数より、前記回線判断部により、前記通信回線が携帯電話回線であると判断された結果に応じて決定する表示情報の種類の数を少なく決定する決定部と、前記決定部が決定した種類の表示情報を、前記サーバから受信する受信部と、前記サーバから受信する表示情報を表示部に表示させる表示制御部と、前記複数種類の表示情報のうちで、前記表示部に表示する表示情報の種類を指定する指定部と、を備え、前記決定部は、前記回線判断部により、前記通信回線が携帯電話回線であると判断されたとき、前記指定部により表示部に表示すると指定された種類の表示情報を含む、前記複数種類の表示情報より少ない数の種類の表示情報を決定する、ことを特徴とする。
【００１１】
請求項４記載の携帯通信端末は、サーバから、移動体通信システムの通信回線を利用して、情報を受信する携帯通信端末であって、前記通信回線が、携帯電話回線または無線ＬＡＮ通信回線のいずれの通信回線であるかを判断する回線判断部と、特定のコンテンツについて情報を要求する情報要求を前記サーバに送信する要求部と、前記回線判断部により、前記通信回線が携帯電話回線であると判断されたとき、前記携帯電話回線により、所定の期間に通信された通信量が、前記所定の期間の所定の閾値より多いか否かを判断する通信量判断部と、前記通信量判断部により、所定の閾値より多いと判断されたとき、前記要求部が送信する情報要求に従って要求する情報の種類の数を、前記所定の期間の通信量が多いと判断された前記閾値に応じて制限する制限部と、前記特定のコンテンツに対応付けられる情報であって、前記携帯通信端末の表示部に表示する歌詞の表示形式の種類に応じて情報量が異なる複数種類の表示情報のうち、前記要求部が送信する情報要求に従って要求する種類の表示情報を、前記回線判断部の判断結果に応じて、前記回線判断部により、前記通信回線が無線ＬＡＮ通信回線であると判断された結果に応じて決定する表示情報の種類の数より、前記回線判断部により、前記通信回線が携帯電話回線であると判断された結果に応じて決定する表示情報の種類の数を少なく決定する決定部と、前記制限部により前記所定の期間の通信量に応じて制限された数の種類の情報であって、且つ、前記決定部が決定した種類の表示情報を、前記サーバから受信する受信部と、を備えることを特徴とする。
請求項５記載の携帯通信端末は、前記複数種類の表示情報は、前記携帯通信端末の表示部に表示する歌詞の表示形式が異なる複数種類の表示情報であり、前記サーバから受信する表示情報を表示部に表示させる表示制御部と、前記複数種類の表示情報のうちで、前記表示部に表示する表示情報の種類を指定する指定部と、を備え、前記決定部は、前記回線判断部により、前記通信回線が携帯電話回線であると判断されたとき、前記指定部により表示部に表示すると指定された種類の表示情報を含む、前記複数種類の表示情報より少ない数の種類の表示情報を決定する、ことを特徴とする。
請求項６記載の携帯通信端末は、前記回線判断部により、前記通信回線が携帯電話回線であると判断されたとき、前記携帯電話回線により、所定の期間に通信された通信量が、前記所定の期間の所定の閾値より多いか否かを判断する通信量判断部と、前記通信量判断部により、所定の閾値より多いと判断されたとき、前記要求部が送信する情報要求に従って要求する表示情報の種類の数を、前記所定の期間の通信量が多いと判断された前記閾値に応じて制限する制限部と、をさらに備え、前記受信部は、前記制限部により前記所定の期間の通信量に応じて制限された数の種類の表示情報であって、且つ、前記決定部が決定した種類の表示情報を、前記サーバから受信する、ことを特徴とする。
【００１２】
請求項７記載の通信プログラムは、サーバから、移動体通信システムの通信回線を利用して、情報を受信する携帯通信端末に用いられる通信プログラムであって、前記通信回線が、携帯電話回線または無線ＬＡＮ通信回線のいずれの通信回線であるかを判断する回線判断ステップと、特定のコンテンツについて情報を要求する情報要求を前記サーバに送信する要求ステップと、前記特定のコンテンツに対応付けられる情報であって、前記携帯通信端末の表示部に表示させる表示形式の種類に応じて情報量が異なる複数種類の表示情報のうち、前記要求ステップが送信する情報要求に従って要求する種類の表示情報を、前記回線判断ステップの判断結果に応じて、前記回線判断ステップにより、前記通信回線が無線ＬＡＮ通信回線であると判断された結果に応じて決定する表示情報の種類の数より、前記回線判断ステップにより、前記通信回線が携帯電話回線であると判断された結果に応じて決定する表示情報の種類の数を少なく決定する決定ステップと、前記決定ステップが決定した種類の表示情報を、前記サーバから受信する受信ステップと、を備え、前記決定ステップは、前記回線判断ステップにより、前記通信回線が携帯電話回線であると判断されたとき、前記特定のコンテンツに対応付けられる複数種類の前記表示情報のうちで情報量が大きい種類の表示情報を除いて、前記複数種類の情報より少ない数の種類の表示情報を決定する、ことを特徴とする。
請求項８記載の通信プログラムは、サーバから、移動体通信システムの通信回線を利用して、情報を受信する携帯通信端末に用いられる通信プログラムであって、前記通信回線が、携帯電話回線または無線ＬＡＮ通信回線のいずれの通信回線であるかを判断する回線判断ステップと、特定のコンテンツについて情報を要求する情報要求を前記サーバに送信する要求ステップと、前記特定のコンテンツに対応付けられる情報であって、前記携帯通信端末の表示部に表示させる表示形式の種類に応じて情報量が異なる複数種類の表示情報のうち、前記要求ステップが送信する情報要求に従って要求する種類の表示情報を、前記回線判断ステップの判断結果に応じて、前記回線判断ステップにより、前記通信回線が無線ＬＡＮ通信回線であると判断された結果に応じて決定する表示情報の種類の数より、前記回線判断ステップにより、前記通信回線が携帯電話回線であると判断された結果に応じて決定する表示情報の種類の数を少なく決定する決定ステップと、前記決定ステップが決定した種類の表示情報を、前記サーバから受信する受信ステップと、を備え、前記決定ステップは、前記特定のコンテンツに対応付けられる複数種類の前記表示情報のうち、表示された回数が多い種類の表示情報の優先順位を高く定め、前記回線判断ステップにより、前記通信回線が携帯電話回線であると判断されたとき、優先順位が高く定められる表示された回数が多い表示情報を、前記複数種類の表示情報より少ない数の種類の表示情報に決定する、ことを特徴とする。
請求項９記載の通信プログラムは、サーバから、移動体通信システムの通信回線を利用して、情報を受信する携帯通信端末に用いられる通信プログラムであって、前記通信回線が、携帯電話回線または無線ＬＡＮ通信回線のいずれの通信回線であるかを判断する回線判断ステップと、特定のコンテンツについて情報を要求する情報要求を前記サーバに送信する要求ステップと、前記特定のコンテンツに対応付けられる情報であって、前記携帯通信端末の表示部に表示する歌詞の表示形式の種類に応じて情報量が異なる複数種類の表示情報のうち、前記要求ステップが送信する情報要求に従って要求する種類の表示情報を、前記回線判断ステップの判断結果に応じて、前記回線判断ステップにより、前記通信回線が無線ＬＡＮ通信回線であると判断された結果に応じて決定する表示情報の種類の数より、前記回線判断ステップにより、前記通信回線が携帯電話回線であると判断された結果に応じて決定する表示情報の種類の数を少なく決定する決定ステップと、前記決定ステップが決定した種類の表示情報を、前記サーバから受信する受信ステップと、前記サーバから受信する表示情報を表示部に表示させる表示制御ステップと、前記複数種類の表示情報のうちで、前記表示部に表示する表示情報の種類を指定する指定ステップと、を備え、前記複数種類の情報は、前記携帯通信端末の表示部に表示する歌詞の表示形式が異なる複数種類の表示情報であり、前記決定ステップは、前記回線判断ステップにより、前記通信回線が携帯電話回線であると判断されたとき、前記指定ステップにより表示部に表示すると指定された種類の表示情報を含む、前記複数種類の表示情報より少ない数の種類の表示情報を決定する、ことを特徴とする。
請求項１０記載の通信プログラムは、サーバから、移動体通信システムの通信回線を利用して、情報を受信する携帯通信端末に用いられる通信プログラムであって、前記通信回線が、携帯電話回線または無線ＬＡＮ通信回線のいずれの通信回線であるかを判断する回線判断ステップと、特定のコンテンツについて情報を要求する情報要求を前記サーバに送信する要求ステップと、前記回線判断ステップにより、前記通信回線が携帯電話回線であると判断されたとき、前記携帯電話回線により、所定の期間に通信された通信量が、前記所定の期間の所定の閾値より多いか否かを判断する通信量判断ステップと、前記通信量判断ステップにより、所定の閾値より多いと判断されたとき、前記要求ステップが送信する情報要求に従って要求する情報の種類の数を、前記所定の期間の通信量が多いと判断された前記閾値に応じて制限する制限ステップと、前記特定のコンテンツに対応付けられる情報であって、前記携帯通信端末の表示部に表示する歌詞の表示形式の種類に応じて情報量が異なる複数種類の表示情報のうち、前記要求ステップが送信する情報要求に従って要求する種類の表示情報を、前記回線判断ステップの判断結果に応じて、前記回線判断ステップにより、前記通信回線が無線ＬＡＮ通信回線であると判断された結果に応じて決定する表示情報の種類の数より、前記回線判断ステップにより、前記通信回線が携帯電話回線であると判断された結果に応じて決定する表示情報の種類の数を少なく決定する決定ステップと、前記制限ステップにより前記所定の期間の通信量に応じて制限された数の種類の情報であって、且つ、前記決定ステップが決定した種類の表示情報を、前記サーバから受信する受信ステップと、を備えることを特徴とする。
【００１３】
請求項１１記載の情報通信システムは、サーバと、移動体通信システムの通信回線を利用して、前記サーバから情報を受信する携帯通信端末とからなる情報通信システムであって、前記携帯通信端末は、特定のコンテンツについて情報を要求する情報要求を前記サーバに送信する要求部と、前記要求部が送信した情報要求に従って前記サーバが送信する種類の情報を受信する受信部と、を有し、前記通信回線が、携帯電話回線または無線ＬＡＮ通信回線のいずれの通信回線であるかを判断する回線判断部と、前記特定のコンテンツに対応付けられる情報であって、前記携帯通信端末の表示部に表示させる表示形式の種類に応じて情報量が異なる複数種類の表示情報のうち、前記要求部が送信する情報要求に従って要求する種類の表示情報を、前記回線判断部の判断結果に応じて、前記回線判断部により、前記通信回線が無線ＬＡＮ通信回線であると判断された結果に応じて決定する表示情報の種類の数より、前記回線判断部により、前記通信回線が携帯電話回線であると判断された結果に応じて決定する表示情報の種類の数を少なく決定する決定する決定部と、を備え、前記決定部は、前記回線判断部により、前記通信回線が携帯電話回線であると判断されたとき、前記特定のコンテンツに対応付けられる複数種類の前記表示情報のうちで情報量が大きい種類の表示情報を除いて、前記複数種類の表示情報より少ない数の種類の表示情報を決定する、ことを特徴とする。
請求項１２記載の情報通信システムは、サーバと、移動体通信システムの通信回線を利用して、前記サーバから情報を受信する携帯通信端末とからなる情報通信システムであって、前記携帯通信端末は、特定のコンテンツについて情報を要求する情報要求を前記サーバに送信する要求部と、前記要求部が送信した情報要求に従って前記サーバが送信する種類の情報を受信する受信部と、を有し、前記通信回線が、携帯電話回線または無線ＬＡＮ通信回線のいずれの通信回線であるかを判断する回線判断部と、前記特定のコンテンツに対応付けられる情報であって、前記携帯通信端末の表示部に表示させる表示形式の種類に応じて情報量が異なる複数種類の表示情報のうち、前記要求部が送信する情報要求に従って要求する種類の表示情報を、前記回線判断部の判断結果に応じて、前記回線判断部により、前記通信回線が無線ＬＡＮ通信回線であると判断された結果に応じて決定する表示情報の種類の数より、前記回線判断部により、前記通信回線が携帯電話回線であると判断された結果に応じて決定する表示情報の種類の数を少なく決定する決定する決定部と、を備え、前記決定部は、前記特定のコンテンツに対応付けられる複数種類の前記表示情報のうち、表示された回数が多い種類の表示情報の優先順位を高く定め、前記回線判断部により、前記通信回線が携帯電話回線であると判断されたとき、優先順位が高く定められる表示された回数が多い表示情報を、前記複数種類の表示情報より少ない数の種類の表示情報に決定する、ことを特徴とする。
請求項１３記載の情報通信システムは、サーバと、移動体通信システムの通信回線を利用して、前記サーバから情報を受信する携帯通信端末とからなる情報通信システムであって、前記携帯通信端末は、特定のコンテンツについて情報を要求する情報要求を前記サーバに送信する要求部と、前記要求部が送信した情報要求に従って前記サーバが送信する種類の情報を受信する受信部と、を有し、前記通信回線が、携帯電話回線または無線ＬＡＮ通信回線のいずれの通信回線であるかを判断する回線判断部と、前記特定のコンテンツに対応付けられる情報であって、前記携帯通信端末の表示部に表示する歌詞の表示形式の種類に応じて情報量が異なる複数種類の表示情報のうち、前記要求部が送信する情報要求に従って要求する種類の表示情報を、前記回線判断部の判断結果に応じて、前記回線判断部により、前記通信回線が無線ＬＡＮ通信回線であると判断された結果に応じて決定する表示情報の種類の数より、前記回線判断部により、前記通信回線が携帯電話回線であると判断された結果に応じて決定する表示情報の種類の数を少なく決定する決定する決定部と、前記サーバから受信する表示情報を表示部に表示させる表示制御部と、前記複数種類の表示情報のうちで、前記表示部に表示する表示情報の種類を指定する指定部と、を備え、前記決定部は、前記回線判断部により、前記通信回線が携帯電話回線であると判断されたとき、前記指定部により表示部に表示すると指定された種類の表示情報を含む、前記複数種類の表示情報より少ない数の種類の表示情報を決定する、ことを特徴とする。
請求項１４記載の情報通信システムは、サーバと、移動体通信システムの通信回線を利用して、前記サーバから情報を受信する携帯通信端末とからなる情報通信システムであって、前記携帯通信端末は、特定のコンテンツについて情報を要求する情報要求を前記サーバに送信する要求部と、前記要求部が送信した情報要求に従って前記サーバが送信する種類の情報を受信する受信部と、を有し、前記通信回線が、携帯電話回線または無線ＬＡＮ通信回線のいずれの通信回線であるかを判断する回線判断部と、前記回線判断部により、前記通信回線が携帯電話回線であると判断されたとき、前記携帯電話回線により、所定の期間に通信された通信量が、前記所定の期間の所定の閾値より多いか否かを判断する通信量判断部と、前記通信量判断部により、所定の閾値より多いと判断されたとき、前記要求部が送信する情報要求に従って要求する情報の種類の数を、前記所定の期間の通信量が多いと判断された前記閾値に応じて制限する制限部と、前記特定のコンテンツに対応付けられる情報であって、前記携帯通信端末の表示bに表示する歌詞の表示形式の種類に応じて情報量が異なる複数種類の表示情報のうち、前記要求部が送信する情報要求に従って要求する種類の表示情報を、前記回線判断部の判断結果に応じて、前記回線判断部により、前記通信回線が無線ＬＡＮ通信回線であると判断された結果に応じて決定する表示情報の種類の数より、前記回線判断部により、前記通信回線が携帯電話回線であると判断された結果に応じて決定する表示情報の種類の数を少なく決定する決定する決定部と、前記制限部により前記所定の期間の通信量に応じて制限された数の種類の情報であって、且つ、前記決定部が決定した種類の表示情報を、前記サーバから受信する受信部と、を備えることを特徴とする。
【００１４】
請求項１５記載の情報通信システムは、サーバと、移動体通信システムの通信回線を利用して、前記サーバから情報を受信する携帯通信端末とからなる情報通信システムであって、前記携帯通信端末は、特定のコンテンツについて情報を要求する情報要求を前記サーバに送信する要求部と、前記要求部が送信した情報要求に従って前記サーバが送信する種類の情報を受信する受信部と、を有し、前記通信回線が、携帯電話回線または無線ＬＡＮ通信回線のいずれの通信回線であるかを判断する回線判断部と、前記特定のコンテンツに対応付けられる情報であって、表現形式の種類に応じて情報量が異なる複数種類の情報のうち、前記要求部が送信する情報要求に従って要求する種類の情報を、前記回線判断部の判断結果に応じて、前記回線判断部により、前記通信回線が無線ＬＡＮ通信回線であると判断された結果に応じて決定する情報の種類の数より、前記回線判断部により、前記通信回線が携帯電話回線であると判断された結果に応じて決定する情報の種類の数を少なく決定する決定する決定部と、を備え、前記サーバは、前記各コンテンツに対応する複数種類の情報の各々について、過去にサーバが前記携帯通信端末に送信した回数を記憶しており、前記決定部は、前記複数種類の情報の各々について送信された前記回数が多い種類の情報を、前記要求部が送信する情報要求に従って要求する種類の情報と決定する、ことを特徴とする。
【発明の効果】
【００１５】
請求項１〜４に記載の携帯通信端末によれば、決定部により、通信回線が携帯電話回線であると判断された結果に応じてサーバから受信する情報の種類の数が、通信回線が無線ＬＡＮ通信回線であると判断された結果に応じてサーバから受信する情報の種類の数より、少なく決定される。これにより、携帯通信端末は、携帯電話回線を利用してサーバから情報を受信するとき、無線ＬＡＮ通信回線を利用する場合に比べ、携帯電話回線により受信する情報の数を抑えて、特定のコンテンツについての情報を取得することができる。この結果、携帯通信端末のユーザにとって、サーバから情報を取得するときの待ち時間が短縮される。
【００１６】
請求項１に記載の携帯通信端末によれば、決定部により、通信回線が携帯電話回線であると判断されたときにサーバから受信する情報は、複数種類の情報のうちで情報量が大きい種類の情報を除いて、通信回線が無線ＬＡＮ通信回線であると判断された結果に応じて決定するときの情報より少ない種類の情報が、決定される。携帯通信端末は、携帯電話回線を利用してサーバから情報を受信するとき、情報量が大きい種類の情報を受信しないことにより、携帯電話回線により大きい情報量の情報を受信せずに、特定のコンテンツについての情報を取得することができる。この結果、携帯通信端末のユーザにとって、サーバから情報を取得するときの待ち時間が一層短縮される。
【００１７】
請求項２記載の携帯通信端末によれば、決定部は、通信回線が携帯電話回線であると判断されたとき、複数種類の表示情報のうち、表示された回数が多い表示情報を受信する情報と決定することにより、優先順位が高く定められる種類の表示情報が決定され、受信部が受信する。これにより、携帯通信端末は、携帯電話回線を利用して受信する情報の種類の数が、無線ＬＡＮ通信回線により受信する情報の種類の数より少ないときであっても、表示された回数が多い表示形式の情報を含む情報を受信するため、表示された回数が多い表示情報を表示部に表示させることができる。この結果、携帯通信端末のユーザにとって、サーバから情報を取得するときの待ち時間が短縮されるとともに、好みの表示形式の情報が優先して表示される。
【００１８】
請求項３および５記載の携帯通信端末によれば、決定部は、通信回線が携帯電話回線であると判断されたとき、指定部により指定された種類の情報を、通信回線が無線ＬＡＮ通信回線であると判断された結果に応じて決定する情報の種類の数より少ない情報と決定する。これにより、携帯通信端末は、携帯電話回線により受信する情報が、無線ＬＡＮ通信回線により受信する情報の種類の数より少ない情報であっても、指定された種類についての情報は含まれるため、指定された表示情報を確実に表示部に表示させることができる。この結果、携帯通信端末のユーザにとって必要とする指定された種類の情報を確実に取得して表示させることができる。
【００１９】
請求項４および６記載の携帯通信端末によれば、通信回線が携帯電話回線であると判断されたとき、所定の期間の通信量に応じて制限された種類の数の情報をサーバから受信する。これにより、携帯通信端末は、通信回線が携帯電話回線であると判断されたときは、無線ＬＡＮ通信回線を利用する場合に比べ、所定の期間の通信量が所定の閾値より多いか否かに応じて、受信する情報の種類の数を抑えて受信することができる。この結果、携帯電話回線の通信状況が良くない場合でも、携帯通信端末のユーザにとって、サーバから情報を取得するときの待ち時間が短縮される。
【００２０】
請求項７記載の通信プログラムによれば、決定ステップにより、通信回線が携帯電話回線であると判断された結果に応じてサーバから受信する情報の種類の数が、通信回線が無線ＬＡＮ通信回線であると判断された結果に応じてサーバから受信する情報の種類の数より、少なく決定される。これにより、通信プログラムを用いる携帯通信端末は、携帯電話回線を利用してサーバから情報を受信するとき、無線ＬＡＮ通信回線を利用する場合に比べ、携帯電話回線により受信する情報の種類を抑えて、特定のコンテンツについての情報を取得することができる。この結果、携帯通信端末のユーザにとって、サーバから情報を取得するときの待ち時間が短縮される。通信回線が携帯電話回線であると判断されたときにサーバから受信する情報は、複数種類の情報のうちで情報量が大きい種類の情報を除いて、通信回線が無線ＬＡＮ通信回線であると判断された結果に応じて決定するときの情報より少ない種類の情報が、決定される。通信プログラムを用いる携帯通信端末は、携帯電話回線を利用してサーバから情報を受信するとき、情報量が大きい種類の情報を受信しないことにより、携帯電話回線により大きい情報量の情報を受信せずに、特定のコンテンツについての情報を取得することができる。この結果、携帯通信端末のユーザにとって、サーバから情報を取得するときの待ち時間が一層短縮される。
【００２１】
請求項１１記載の情報通信システムによれば、決定部により、通信回線が携帯電話回線であると判断された結果に応じてサーバから受信する情報の種類の数が、通信回線が無線ＬＡＮ通信回線であると判断された結果に応じてサーバから受信する情報の種類の数より、少なく決定される。これにより、情報通信システムを構成する携帯通信端末は、携帯電話回線を利用してサーバから情報を受信するとき、無線ＬＡＮ通信回線を利用する場合に比べ、携帯電話回線により受信する情報の種類を抑えて、特定のコンテンツについての情報を取得することができる。この結果、携帯通信端末のユーザにとって、サーバから情報を取得するときの待ち時間が短縮される。通信回線が携帯電話回線であると判断されたときにサーバから受信する情報は、複数種類の情報のうちで情報量が大きい種類の情報を除いて、通信回線が無線ＬＡＮ通信回線であると判断された結果に応じて決定するときの情報より少ない種類の情報が、決定される。通信システムを構成する携帯通信端末は、携帯電話回線を利用してサーバから情報を受信するとき、情報量が大きい種類の情報を受信しないことにより、携帯電話回線により大きい情報量の情報を受信せずに、特定のコンテンツについての情報を取得することができる。この結果、携帯通信端末のユーザにとって、サーバから情報を取得するときの待ち時間が一層短縮される。
【００２２】
請求項１５記載の情報通信システムによれば、決定部は、複数種類の情報のうち、サーバが記憶する携帯通信端末に過去に送信した回数が多い種類の情報をサーバへ要求する情報と決定する。これにより、携帯通信端末は、サーバが送信した回数が多い情報を取得することができ、ユーザは、携帯電話回線により受信する情報が、無線ＬＡＮ通信回線により受信する情報の種類の数より少ない情報であっても、過去に多く利用された種類の情報を受信することができる。この結果、携帯通信端末のユーザが過去に頻繁に要求した種類の情報を確実に取得して表示させることができる。
【図面の簡単な説明】
【００２３】
【図１】本発明の第１の実施形態に係る歌詞取得システム１の全体構成を示すシステム構成図である。
【図２】通信装置２０のディスプレイ２１の表示例を示す説明図である。
【図３】歌詞取得システム１の通信装置２０及び歌詞管理サーバ５０の電気的構成を示すブロック図である。
【図４Ａ】通信装置２０の記憶内容を示す説明図である。
【図４Ｂ】歌詞管理サーバ５０の記憶内容を示す説明図である。
【図５】本発明の第１の実施形態に係る通信装置２０が実行する楽曲再生表示プログラムのメイン処理を示すフローチャートである。
【図６】本発明の第１の実施形態に係る通信装置２０が実行する楽曲再生表示プログラムの歌詞限定取得処理を示すフローチャートである。
【図７】本発明の第２の実施形態に係る歌詞取得システム１の通信装置２０が実行する楽曲再生表示プログラムのメイン処理を示すフローチャートである。
【図８】本発明の第２の実施形態に係る歌詞取得システム１の歌詞管理サーバ５０が実行する歌詞送信プログラムのメイン処理を示すフローチャートである。
【発明を実施するための形態】
【００２４】
［第１の実施形態］
以下、本発明の携帯通信端末を、歌詞取得システムの通信装置に適用した第１の実施形態について説明する。歌詞取得システムにおいては、通信装置と、歌詞管理サーバとが、複数種類のネットワークを介して接続されている。通信装置と歌詞管理サーバとがネットワークにより接続され、歌詞取得システムが構築されている。通信装置は、通信機能を備え、再生される楽曲の歌詞を歌詞管理サーバから取得し、ディスプレイに表示する装置であり、例えば、スマートフォンやタブレット端末などの携帯端末である。歌詞が取得される楽曲は、ユーザにより指示されて再生される楽曲、またはプレイリストの定められた再生順序に従って再生される楽曲である。歌詞管理サーバは、多数の楽曲に対応する多数の歌詞を記憶し、その多数の歌詞のうちの特定の歌詞を取得するための歌詞取得要求を通信装置から受信し、その歌詞取得要求に応じて、特定の歌詞を通信装置に送信する装置である。歌詞管理サーバは、著作権で保護された歌詞などの情報を提供するサービス提供業者が管理するサーバである。以下、本実施形態について図面を参照して説明する。
【００２５】
［第１の実施形態の構成］
（歌詞取得システムの全体構成）
図１は、本実施形態の歌詞取得システム１の全体構成を示すシステム構成図である。歌詞取得システム１は、通信装置２０Ａ、２０Ｂなどの通信装置２０と、歌詞管理サーバ５０とを備える。なお、通信装置２０Ａ、２０Ｂなどの通信装置を総称して記載する場合には、通信装置２０と記載する。通信装置２０は、ネットワークを介して歌詞管理サーバ５０に接続されており、その歌詞管理サーバ５０との間で情報を送受信する。本実施形態の移動体通信システムを構築するネットワークでは、少なくとも携帯電話回線１００と、無線ＬＡＮ通信回線３００との２種類の通信回線が使用可能である。携帯電話回線１００は、例えば、第３世代移動通信システム（３Ｇ）、ＬＴＥ（Ｌｏｎｇ  Ｔｅｒｍ  Ｅｖｏｌｕｔｉｏｎ）などの携帯電話の通信システムである。無線ＬＡＮ通信回線３００は、例えば、Ｗｉ−Ｆｉ、ＷｉＭＡＸ、赤外線通信などの高速無線通信システムである。一般に、携帯電話回線１００の通信速度は、無線ＬＡＮ通信回線３００の通信速度より遅い。図１は、通信装置２０Ａが、携帯電話回線１００に接続され、通信装置２０Ｂが、無線ＬＡＮ通信回線３００に接続された状態を示す。通信装置２０Ａは、無線ＬＡＮ通信回線３００と接続可能に構成されるが、実際には接続されていない。通信装置２０Ｂは、携帯電話回線１００と接続可能に構成されるが、実際には接続されていない。
【００２６】
通信装置２０が、この２種類の通信回線を使用可能であるときに、使用する通信回線を選択する方法として、自動または手動で選択する方法がある。詳細には、通信装置２０が接続可能な通信回線を自動で判断して選択する方法と、通信装置２０のユーザが、使用する通信回線の種類を手動で選択する方法とがある。通信装置２０が自動で使用する通信回線を選択する場合は、通信装置２０は、携帯電話回線より通信速度が速い無線ＬＡＮ通信回線が使用可能であるとき、携帯電話回線から、自動で切り換えて無線ＬＡＮ通信回線に接続する。一方、通信回線の種類を手動で切り換えられる方法では、ユーザが、タッチパネル式のディスプレイ２１を押下することにより、携帯電話回線と、無線ＬＡＮ通信回線との間で使用する通信回線の種類を切り換える。
【００２７】
歌詞管理サーバ５０は、楽曲の歌詞を、通信装置２０のディスプレイ２１に表示させるため、多数の楽曲に対応する歌詞データを記憶している。複数種類の歌詞データは、各楽曲について存在し、ディスプレイ２１に歌詞を表示させる表示態様が、歌詞データの種類ごとに異なる。通信装置２０は、再生する楽曲の歌詞を表示するための歌詞データを、歌詞管理サーバ５０から取得する。
【００２８】
図２の（Ａ）〜図２の（Ｅ）は、通信装置２０のディスプレイ２１に表示される表示内容の一例を示す図である。図２の（Ａ）及び図２の（Ｂ）は、通信装置２０のディスプレイ２１に、通信装置２０の通信に関する状態を示す累積通信量と、使用する通信回線を示す携帯電話回線または無線ＬＡＮ通信回線の設定種別とが表示された状態を示す。図２の（Ａ）に示す通信装置２０Ａは、携帯電話回線１００に接続されている。図２の（Ｂ）に示す通信装置２０Ｂは、無線ＬＡＮ通信回線３００に接続されている。通信回線の種類を手動で切り換える場合は、ユーザは、図２の（Ａ）及び図２の（Ｂ）に示すタッチパネル式のディスプレイ２１の無線ＬＡＮ設定領域２１ａをタッチすることにより、ＯＮまたはＯＦＦに通信回線の種類の設定を切り換える。
【００２９】
図２の（Ｃ）は、通信装置２０において、歌詞が取得される楽曲をユーザが選択するときの再生楽曲選択画面の一例を示す図である。図２の（Ｄ）及び図２の（Ｅ）は、再生される楽曲の歌詞が、歌詞管理サーバ５０から取得され、表示されるディスプレイ２１の表示態様の一例を示す図である。例えば、通信装置２０は、図２の（Ｃ）に示すようにプレイリストの１曲がユーザにより指定されたとき、指定された楽曲の属性情報を含む取得要求を、歌詞管理サーバ５０に送信する。そして、通信装置２０は、楽曲の属性情報を含む取得要求に応じて、歌詞管理サーバ５０から楽曲の歌詞データを取得する。このとき、通信装置２０は、歌詞管理サーバ５０から、後述する表示態様が異なる複数種類の歌詞データを取得することが可能である。
【００３０】
図２の（Ｄ）は、楽曲が再生されるとき、楽曲の進行に従って歌詞を色変えするカラオケ歌詞を示す図である。図２の（Ｅ）は、ディスプレイ２１に表示される楽曲の歌詞を色変えせずに表示する通常歌詞を示す図である。通信装置２０は、ユーザが図２の（Ｄ）に示す歌詞指定ボタン２１ｂ〜２１ｄのいずれかにタッチすることにより、表示される歌詞の種類を切り換えることが可能である。図２の（Ｅ）の歌詞指定ボタン２１ｂ及び２１ｄのように、斜線がかけられている歌詞指定ボタンは、タッチにより動作せず、歌詞の表示態様を切り換えることができない。
【００３１】
（通信装置の構成）
図３は、通信装置２０と、歌詞管理サーバ５０との電気的な構成を示すブロック図である。通信装置２０は、ＣＰＵ２２を備える。ＣＰＵ２２は、通信装置２０の全体動作を制御する。通信装置２０は、ＣＰＵ２２のほかに、構成要素としてディスプレイ２１と、ＲＯＭ２３と、ＲＡＭ２４と、ＨＤＤ２５と、携帯電話回線接続部２６Ａと、無線ＬＡＮ接続部２６Ｂと、スピーカ２７と、バッテリ電源２８とを備える。ＣＰＵ２２は、これらの構成要素にそれぞれ接続される。ＣＰＵ２２は、ＲＯＭ２３、ＲＡＭ２４、ＨＤＤ２５などの記憶手段と共に、通信装置２０の動作を制御処理するコンピュータを構成する。携帯電話回線接続部２６Ａは、携帯電話回線により、歌詞管理サーバ５０と通信する。無線ＬＡＮ接続部２６Ｂは、Ｗｉ−Ｆｉ通信などにより、歌詞管理サーバ５０と通信する。スピーカ２７は、ＣＰＵ２２により再生が制御される楽曲を出力する。バッテリ電源２８は、通信装置２０を駆動する電力を供給する。
【００３２】
ＲＯＭ２３は、楽曲再生表示プログラム記憶領域２３１を備える。楽曲再生表示プログラム記憶領域２３１は、楽曲再生表示プログラムを記憶する。通信装置２０は、楽曲再生機能を備え、楽曲再生表示プログラムにより楽曲情報を楽曲再生信号に逐次変換することで、スピーカ２７から楽曲を出力する。通信装置２０は、楽曲再生表示プログラムの実行により、楽曲情報の変換と同期して、歌詞管理サーバ５０から取得された歌詞データに従って、楽曲の歌詞をディスプレイ２１に表示する。通信装置２０は、楽曲の再生出力に同期して、楽曲の歌詞をディスプレイ２１に順次表示する。尚、本実施形態において、同期とは、楽曲の再生出力がされるとき、楽曲の再生開始と同時に、ディスプレイ２１の楽曲の歌詞を表示することを示している。また、楽曲の再生開始と同時のほか、楽曲の再生開始を起点として、楽曲の再生開始から所定の時間後にディスプレイ２１に楽曲の歌詞が表示されてもよい。
【００３３】
ＲＡＭ２４は、累積通信量記憶領域２４１と、通信回線記憶領域２４２と、再生楽曲歌詞記憶領域２４３と、表示歌詞設定記憶領域２４４と、取得要求歌詞記憶領域２４５とを含む。累積通信量記憶領域２４１は、累積通信量を記憶する。累積通信量は、携帯電話回線接続部２６Ａにより外部機器と接続されたとき、通信装置２０において取得された情報の累積通信量を示す通信量情報を含む。本実施形態において、累積通信量は、歌詞取得システム１が使用される日を含む当月内に、携帯電話回線１００を使用して通信された通信量の総計である。通信回線記憶領域２４２は、使用される通信回線の種類を記憶する。再生楽曲歌詞記憶領域２４３は、歌詞管理サーバ５０から取得した再生される楽曲のいずれかまたは全ての表示態様の歌詞データを記憶する。
【００３４】
表示歌詞設定記憶領域２４４は、ディスプレイ２１に表示する歌詞の表示態様の種類を記憶する。具体的には、ディスプレイ２１に表示される表示態様が異なる複数種類の歌詞は、図２の（Ｄ）に示す歌詞指定ボタン２１ｂ〜２１ｄにユーザがタッチすることにより、表示する歌詞の表示態様の種類を指定することができる。表示歌詞設定記憶領域２４４は、ユーザが歌詞指定ボタン２１ｂ〜２１ｄにより複数種類の表示態様の歌詞のうち、特定の種類を指定したことを記憶する。例えば、ディスプレイ２１に図２の（Ｄ）の表示がされるとき、表示歌詞設定記憶領域２４４に、後述する色変えする「カラオケ歌詞」を指定したことが記憶される。ディスプレイ２１に図２の（Ｅ）の表示がされるとき、表示歌詞設定記憶領域２４４に、後述する「通常歌詞」を表示すると指定したことが記憶される。取得要求歌詞記憶領域２４５は、楽曲再生表示プログラムの処理により、歌詞管理サーバ５０に取得要求すると決定された歌詞データの種類を示す情報が記憶される。
【００３５】
ＨＤＤ２５は、楽曲情報記憶領域２５１を含む。図４Ａは、楽曲情報記憶領域２５１の記憶内容を示す概念図である。楽曲情報記憶領域２５１は、楽曲をスピーカ２７から出力させるための楽曲情報を記憶する。楽曲情報には、楽曲の属性情報が対応付けられている。楽曲の属性情報は、例えば楽曲ごとに付される楽曲ＩＤと、楽曲名と、アーティスト名とを含む。また、図４Ａに示すように、楽曲情報記憶領域２５１に記憶される各楽曲情報には、楽曲に対応して表示される歌詞について、表示態様が異なる複数種類の種類ごとに、過去半年間にディスプレイ２１に表示した回数がそれぞれ記憶される。
【００３６】
通信装置２０は、楽曲の属性情報を含み、複数種類の歌詞データのいずれかまたは全てを取得することを指定する取得要求を、歌詞管理サーバ５０へ送信する。取得要求は、楽曲の属性情報と、通信装置２０の装置状態に応じて要求する歌詞種別とを含む。取得要求に含まれる歌詞種別は、通信装置２０により、通信回線の種類と累積通信量とから、決定される。歌詞管理サーバ５０は、通信装置２０からの所定の楽曲についての取得要求に応じて、通信装置２０に、いずれか又は全ての種類の表示態様の歌詞データを送信する。通信装置２０は、取得した歌詞データに従って、ディスプレイ２１に楽曲の歌詞を表示することができる。
【００３７】
歌詞管理サーバ５０は、多数の楽曲の属性情報と、多数の楽曲の歌詞データとを対応付けて記憶する。通信装置２０は、再生する楽曲の属性情報を歌詞管理サーバ５０へ送信することにより、歌詞管理サーバ５０からその楽曲の歌詞データを取得する。歌詞管理サーバ５０が記憶する歌詞データは、その種類ごとに異なる表示態様で通信装置２０のディスプレイ２１に歌詞を表示させるための情報であり、表示態様の種類によりデータ構成がそれぞれ異なる。
【００３８】
（歌詞管理サーバの構成）
図３に示す歌詞管理サーバ５０は、ＣＰＵ５２を備える。ＣＰＵ５２は、歌詞管理サーバ５０の全体動作を制御する。歌詞管理サーバ５０は、ＣＰＵ５２のほかに、構成要素として、ＲＯＭ５３と、ＲＡＭ５４と、ＨＤＤ５５と、ネットワーク接続部５６とを備える。ＣＰＵ５２は、これらの構成要素にそれぞれ接続される。ＣＰＵ５２は、ＲＯＭ５３、ＲＡＭ５４、及びＨＤＤ５５などの記憶手段と共に、歌詞管理サーバ５０の動作を制御処理するコンピュータを構成する。ネットワーク接続部５６は、インターネットなどのネットワークを介して、通信装置２０と通信する。
【００３９】
ＲＯＭ５３は、歌詞送信プログラム記憶領域５３１を備える。歌詞送信プログラム記憶領域５３１は、歌詞送信プログラムを記憶する。歌詞管理サーバ５０は、歌詞送信プログラムにより、通信装置２０から取得要求がされた楽曲について、その楽曲の歌詞データを通信装置２０へ送信する。ＲＡＭ５４は、送信歌詞記憶領域５４１を備える。送信歌詞記憶領域５４１は、送信する歌詞データを記憶する。送信する歌詞データは、通信装置２０からの取得要求に応じて、通信装置２０に送信される楽曲の歌詞データである。
【００４０】
ＨＤＤ５５は、楽曲歌詞記憶領域５５１を備える。楽曲歌詞記憶領域５５１は、多数の楽曲について、多数の楽曲歌詞データを記憶する。各楽曲歌詞データは、楽曲の複数の属性情報と、楽曲の歌詞データとを含む。図４Ｂは、楽曲歌詞記憶領域５５１の記憶内容を示す概念図である。図４Ｂに示すように、多数の楽曲の歌詞データの各々について、楽曲の楽曲ＩＤと、楽曲のアーティスト名と、楽曲の曲名と、楽曲の歌詞を表示させるための歌詞データとが対応付けられている。楽曲の歌詞データは、表示態様がそれぞれ異なる複数種類の歌詞データである。具体的には、楽曲の歌詞データとして、通常歌詞データＬ０と、和訳歌詞データＬ１と、ルビ付歌詞データＬ２と、カラオケ歌詞データＬ３とが含まれる。各歌詞データには、過去半年間に通信装置２０に送信した回数が対応付けて記憶される。
【００４１】
通常歌詞データＬ０は、通信装置２０のディスプレイ２１に、楽曲の歌詞を表示させる情報であり、歌詞のテキスト情報を含む。歌詞管理サーバ５０が歌詞データを管理する楽曲については、全ての楽曲の通常歌詞データＬ０が存在する。和訳歌詞データＬ１は、ディスプレイ２１に、楽曲の歌詞の日本語訳を表示させる情報であり、歌詞の和訳テキスト情報を含む。楽曲によっては、和訳歌詞データＬ１の有無が異なる。例えば、楽曲が洋楽などの外国語の楽曲であるとき、和訳歌詞データＬ１が存在する。ルビ付歌詞データＬ２は、ディスプレイ２１に、楽曲の歌詞と、歌詞の振り仮名とを表示させる情報であり、歌詞のテキスト情報と、振り仮名情報とを含む。例えば、楽曲が外国語の楽曲であるとき、及び漢字が含まれる楽曲であるとき、ルビ付歌詞データＬ２が存在する。カラオケ歌詞データＬ３は、ディスプレイ２１に、楽曲の歌詞を表示したとき、再生される楽曲の進行に合わせて歌詞のフレーズの表示色が順に変更される色変え表示を実行させる情報である。カラオケ歌詞データＬ３は、歌詞のテキスト情報と、タイミング情報とを含む。タイミング情報とは、具体的には、フレーズごとに、色変え表示する開始時間と、そのフレーズの色変え表示に要する時間とを示す時間情報である。通信装置２０では、カラオケ歌詞データＬ３を取得し、表示するとき、楽曲の再生に合ったタイミング情報に従って歌詞の各フレーズの表示色が変更される。
【００４２】
これらの歌詞データについては、表示態様が異なるため、それぞれデータサイズも異なる。和訳歌詞データＬ１は、歌詞の日本語訳を表示させる和訳テキスト情報を含み、通常歌詞データＬ０とはデータサイズの点で異なる。ルビ付歌詞データＬ２は、通常歌詞データＬ０のテキスト情報に振り仮名情報が加えられたデータであり、通常歌詞データＬ０よりデータサイズの点で大きい。カラオケ歌詞データＬ３は、通常歌詞データＬ０のテキスト情報に加え、文字の色変えを開始するタイミング情報が対応付けられており、通常歌詞データＬ０及び、ルビ付歌詞データＬ２よりデータサイズの点で大きい。
【００４３】
［第１の実施形態の動作及び作用］
以上、説明した構成からなる本実施形態の歌詞取得システム１の動作及び作用について、図５及び図６を参照して説明する。図５は、楽曲再生表示プログラムに従う通信装置２０の処理手順を示すフローチャートである。図６は、図５に示す通信装置２０の処理手順の過程で、歌詞管理サーバ５０に取得要求を送信する歌詞限定取得処理の処理手順を示すフローチャートである。通信装置２０及び歌詞管理サーバ５０は、内部のバッテリ電源、またはコンセントを介して商用電源などの外部電源と接続されたことにより、起動する。
【００４４】
（通信装置の楽曲再生表示処理）
まず、図２の（Ａ）〜図２の（Ｅ）と、図５と、図６とを用いて、通信装置２０の楽曲再生表示処理を説明する。通信装置２０には、アプリケーションソフトウエアがインストールされており、このアプリケーションソフトウエアに含まれる楽曲再生表示プログラムが実行される。図５に示す各ステップの処理は、ＣＰＵ２２により実行される。
【００４５】
ユーザが、ディスプレイ２１の画面上の図示外の開始ボタンを操作すると、楽曲再生表示プログラムが実行され、図５に示す楽曲再生表示処理が開始される。楽曲再生表示処理が開始されると、図２の（Ｃ）に示すように、複数の楽曲の再生順序が定められたプレイリストが表示される。プレイリストは、ＨＤＤ２５の楽曲情報記憶領域２５１に記憶された複数の楽曲情報に従って、楽曲を再生する再生順序を示す。
【００４６】
最初にステップＳ１０では、再生する楽曲が決定されたか否かが判断される。再生する楽曲が決定されたと判断されると（ステップＳ１０：ＹＥＳ）、ステップＳ２０の処理が実行される。再生する楽曲が決定されたと判断されないとき（ステップＳ１０：ＮＯ）、ステップＳ１０の処理が繰り返される。再生する楽曲は、３つの方法により決定される。第１の方法では、図２の（Ｃ）に示すディスプレイ２１に表示されたプレイリストから、ユーザが楽曲を指定することにより、再生する楽曲が決定される。図２の（Ｃ）は、プレイリストから楽曲ＩＤ「ｃ」の楽曲が指定されたことを示している。第２の方法では、プレイリストの再生順序に従って、連続して複数の楽曲を再生する場合、通信装置２０により自動で指定されることにより、再生する楽曲が決定される。第３の方法では、ユーザにより、同一の楽曲を連続して複数回連続するリピート再生であると予め指定されると、再生される楽曲は、通信装置２０により自動で繰り返し決定される。
【００４７】
ステップＳ２０では、使用する通信回線の種類が無線ＬＡＮ通信回線であるか、携帯電話通信回線であるかが判断される。無線ＬＡＮ通信モードは、ユーザが、図２の（Ａ）または図２の（Ｂ）に示す通信装置２０のディスプレイ２１の無線ＬＡＮ設定領域２１ａのＯＮ／ＯＦＦ設定の表示にタッチすることにより、ＯＮまたはＯＦＦに切り換えられる。ステップＳ２０では、無線ＬＡＮ通信がＯＮに設定されていると判断されると（ステップＳ２０：ＹＥＳ）、ステップＳ４０の処理が行われる。無線ＬＡＮ通信がＯＮに設定されている判断されないとき（ステップＳ２０：ＮＯ）、無線ＬＡＮ通信がＯＦＦであり、携帯電話回線を利用した通信でステップＳ３０の歌詞限定取得処理が行われる。
【００４８】
例えば、図２の（Ａ）の通信装置２０Ａは、無線ＬＡＮ通信の設定がＯＦＦであるため、ステップＳ２０の処理においてＮＯと判断され、ステップＳ３０の処理が行われる。図２の（Ｂ）の通信装置２０Ｂは、無線ＬＡＮ通信の設定がＯＮであるため、ステップＳ２０の処理においてＹＥＳと判断され、ステップＳ４０の処理が行われる。
【００４９】
ステップＳ３０では、歌詞限定取得処理が実行される。歌詞限定取得処理では、携帯電話通信回線により、各歌詞データが取得されるとき、歌詞取得システム１が使用される日を含む当月の累積通信量に応じた数の各種の歌詞データを取得する要求が、歌詞管理サーバ５０にされる。
【００５０】
［歌詞限定取得処理］
図６は、歌詞限定取得処理を示すフローチャートである。ステップＳ３０の歌詞限定取得処理では、ステップＳ３０１〜ステップＳ３０７の処理が実行される。
【００５１】
ステップＳ３０１では、歌詞取得システム１が使用される日を含む当月の累積通信量が、上限値に対して２５％以下であるか否かが判断される。上限値は、移動体通信システムを提供する会社が定める通信規制が実施されない当月間のデータ通信量の上限を示す値であり、例えば月間５ギガバイトである。
【００５２】
ステップＳ３０１では、累積通信量が、上限値に対して２５％以下であると判断されると（ステップＳ３０１：ＹＥＳ）、ステップＳ３０２の処理が行われる。ステップＳ３０１では、累積通信量が、上限値に対して２５％以下であると判断されないと（ステップＳ３０１：ＮＯ）、ステップＳ３０３の処理が行われる。
【００５３】
ステップＳ３０２では、ステップＳ３０１において累積通信量が２５％以下であると判断されるとき、歌詞管理サーバ５０に、再生する楽曲の３種類の歌詞データを取得する要求を行う。ステップＳ３０２で取得する要求を行う歌詞データには、再生する楽曲の全種類の歌詞データのうち、最もデータサイズが大きい種類の歌詞データ以外の３種類の歌詞データが含まれる。具体的には、ステップＳ３０２では、最もデータサイズが大きい種類の歌詞データであるカラオケ歌詞データＬ３以外の、通常歌詞データＬ０と和訳歌詞データＬ１とルビ付歌詞データＬ２との３種類の歌詞データを取得する要求がされる。
【００５４】
ステップＳ３０３では、累積通信量が、上限値に対して５０％以下であるか否かが判断される。ステップＳ３０３では、累積通信量が、上限値に対して５０％以下であると判断されると（ステップＳ３０３：ＹＥＳ）、ステップＳ３０４の処理が行われる。ステップＳ３０３では、累積通信量が、上限値に対して５０％以下であると判断されないと（ステップＳ３０３：ＮＯ）、ステップＳ３０５の処理が行われる。
【００５５】
ステップＳ３０４では、ステップＳ３０３において累積通信量が５０％以下であると判断されるとき、歌詞管理サーバ５０に、再生する楽曲の２種類の歌詞データを取得する要求を行う。取得要求する２種類の歌詞データは、再生する楽曲について、少なくとも、表示歌詞設定記憶領域２４４に表示すると設定された種類の歌詞データと、楽曲情報記憶領域２５１の楽曲情報に対応付けられた使用回数が最も多い種類の歌詞データとを含む。
【００５６】
ステップＳ３０５では、累積通信量が、上限値に対して７５％以下であるか否かが判断される。ステップＳ３０５では、累積通信量が、上限値に対して７５％以下であると判断されると（ステップＳ３０５：ＹＥＳ）、ステップＳ３０６の処理が行われる。ステップＳ３０５では、累積通信量が、上限値に対して７５％以下であると判断されないと（ステップＳ３０５：ＮＯ）、ステップＳ３０７の処理が行われる。
【００５７】
ステップＳ３０６では、ステップＳ３０５において累積通信量が７５％以下であると判断されるとき、歌詞管理サーバ５０に、再生する楽曲の全種類の歌詞データのうち１種類の歌詞データを取得する要求を行う。ステップＳ３０６において取得要求する歌詞データの種類は、使用回数が最も多い種類の歌詞データである。
【００５８】
ステップＳ３０７では、ステップＳ３０５において累積通信量が７５％以下であると判断されないとき、歌詞管理サーバ５０に、再生する楽曲の全種類の歌詞データのうち１種類の歌詞データを取得する要求を行う。ステップＳ３０７において取得要求する歌詞データの種類は、ＲＡＭ２４の表示歌詞設定記憶領域２４４に記憶された、表示すると設定された種類の歌詞データである。
【００５９】
ステップＳ４０では、無線ＬＡＮ通信により、全種類の歌詞データＬを取得する要求が、歌詞管理サーバ５０にされる。全種類の歌詞データＬとは、本実施形態では、通常歌詞データＬ０と、和訳歌詞データＬ１と、ルビ付歌詞データＬ２と、カラオケ歌詞データＬ３との４種類の歌詞データＬを歌詞管理サーバ５０から取得する要求である。
【００６０】
ステップＳ５０では、歌詞管理サーバ５０から歌詞データＬを取得したか否かが判断される。歌詞管理サーバ５０から歌詞データＬを取得したと判断されると（ステップＳ５０：ＹＥＳ）、ステップＳ６０の処理が行われる。歌詞管理サーバ５０から歌詞データＬを取得したと判断されないと（ステップＳ５０：ＮＯ）、ステップＳ５０の処理が繰り返し、行われる。
【００６１】
ステップＳ６０では、ＲＡＭ２４の表示歌詞設定記憶領域２４４に記憶された、表示すると設定されている歌詞の種類と同種の歌詞データを、歌詞管理サーバ５０から取得したか否かが判断される。表示すると設定されている歌詞の種類と、同種の歌詞データを取得したと判断されると（ステップＳ６０：ＹＥＳ）、ステップＳ７０の処理が実行される。表示すると設定された歌詞の種類と、同種の歌詞データを取得したと判断されないと（ステップＳ６０：ＮＯ）、ステップＳ８０の処理が実行される。
【００６２】
ステップＳ７０では、ステップＳ６０において、表示すると設定されている歌詞の種類と同種の歌詞データを取得したと判断されたときに、その同種の歌詞データに従って、ディスプレイ２１に歌詞を表示する。ステップＳ８０では、最も多く表示された種類の歌詞データに従って、ディスプレイ２１に歌詞を表示する。ステップＳ８０において、最も多く表示された種類の歌詞データは、ＨＤＤ２５の楽曲情報記憶領域２５１において、歌詞データに対応付けて記憶される種類ごとの使用回数に従って、使用回数が最も多い種類の歌詞が、ディスプレイ２１に表示される。
【００６３】
ステップＳ７０またはステップＳ８０の処理が行われると、ディスプレイ２１に表示された歌詞データの種類について、楽曲情報記憶領域２５１の楽曲情報に対応付けて記憶された使用回数に１が加算される。具体的には、ユーザによりディスプレイ２１の歌詞指定ボタン２１ｂ〜２１ｄを用いて、ディスプレイ２１に表示させる歌詞の種類を切り換える指示がされる。このとき、切り換え指示に応じて、ディスプレイ２１に表示された歌詞データの種類について、楽曲情報記憶領域２５１の楽曲情報に対応付けて記憶された使用回数に１が加算される。
【００６４】
ステップＳ９０では、楽曲の再生を終了する指示がされたか否かが判断される。楽曲の再生を終了する指示がされたと判断されると（ステップＳ９０：ＹＥＳ）、ステップＳ１００の処理が実行される。楽曲の再生を終了する指示がされたと判断されないと（ステップＳ９０：ＮＯ）、ステップＳ９０の処理が繰り返し実行される。
【００６５】
ステップＳ１００では、楽曲再生表示プログラムを実行するアプリケーションを終了する指示がされたか否かが判断される。アプリケーションを終了する指示がされたと判断されると（ステップＳ１００：ＹＥＳ）、楽曲再生表示プログラムが終了される。アプリケーションを終了する指示がされたと判断されないと（ステップＳ１００：ＮＯ）、ステップＳ１０〜ステップＳ９０の処理が繰り返し実行される。
【００６６】
［第２の実施形態］
以下、本発明の第２の実施形態について説明する。第２の実施形態は、通信装置２０が通信回線の種類を含む取得要求を歌詞管理サーバ５０へ送信する。歌詞管理サーバ５０が、取得した通信回線の種類に応じた楽曲の歌詞データの種類を判断して、通信装置２０へ送信する点で第１の実施形態と相違する。第２の実施形態は、他の部分の構成及び処理について第１の実施形態と同じであるので、相違する構成についてのみ詳述し、同じ構成についてその説明を省略する。
【００６７】
第２の実施形態では、通信装置２０は、ＲＯＭ２３に楽曲再生表示プログラムを記憶する。通信装置２０のＣＰＵ２２により、図７に示す楽曲再生表示プログラムのステップＳ１１０〜ステップＳ１８０の処理が実行される。
【００６８】
ステップＳ１１０では、第１の実施形態の楽曲再生表示プログラムのステップＳ１０の処理と同様に、再生する楽曲が決定されたか否かが判断される。ステップＳ１１０では、再生する楽曲が決定されたと判断されると（ステップＳ１１０：ＹＥＳ）、ステップＳ１２０の処理が実行される。再生する楽曲が決定されたと判断されないとき（ステップＳ１１０：ＮＯ）、ステップＳ１１０の処理が繰り返される。
【００６９】
ステップＳ１２０では、再生される楽曲の属性情報と、通信装置２０が接続されている通信回線の種類とを含む歌詞取得要求が、歌詞管理サーバ５０へ送信される。ステップＳ１３０では、歌詞管理サーバ５０から送信される歌詞データを取得したか否かが判断される。歌詞データを取得したと判断されると（ステップＳ１３０：ＹＥＳ）、ステップＳ１４０の処理が行われる。歌詞データを取得したと判断されないと（ステップＳ１３０：ＮＯ）、ステップＳ１３０の処理が繰り返される。
【００７０】
ステップＳ１４０では、ＲＡＭ２４の表示歌詞設定記憶領域２４４に記憶された、表示すると設定された種類の歌詞データを取得したか否かが判断される。表示すると設定されている種類の歌詞データを取得したと判断されると（ステップＳ１４０：ＹＥＳ）、ステップＳ１５０の処理が行われる。表示すると設定されている種類の歌詞データを取得したと判断されないと（ステップＳ１４０：ＮＯ）、ステップＳ１６０の処理が行われる。
【００７１】
ステップＳ１５０では、ステップＳ１４０において判断された、表示すると設定されている種類の歌詞データが、ディスプレイ２１に表示される。一方、ステップＳ１６０では、表示回数が最も多い種類の歌詞データが、ディスプレイ２１に表示される。
【００７２】
ステップＳ１７０では、楽曲の再生を終了する指示がされたか否かが判断される。楽曲の再生を終了する指示がされたと判断されると（ステップＳ１７０：ＹＥＳ）、ステップＳ１８０の処理が実行される。楽曲の再生を終了する指示がされたと判断されないと（ステップＳ１７０：ＮＯ）、ステップＳ１７０の処理が繰り返し実行される。
【００７３】
ステップＳ１８０では、楽曲再生表示プログラムを終了する指示がされたか否かが判断される。楽曲再生表示プログラムを終了する指示がされたと判断されないと（ステップＳ１８０：ＮＯ）、ステップＳ１１０〜ステップＳ１７０の処理が繰り返し実行される。楽曲再生表示プログラムを終了する指示がされたと判断されると（ステップＳ１７０：ＹＥＳ）、楽曲再生表示プログラムが終了される。
【００７４】
通信装置２０から取得要求が送信される歌詞管理サーバ５０は、ＲＯＭ５３に歌詞送信プログラムを記憶する。また、第２の実施形態では、歌詞管理サーバ５０のＨＤＤ５５の楽曲歌詞記憶領域５５１に記憶される多数の楽曲歌詞データの各種類の歌詞データのそれぞれについて、過去半年間に通信装置２０に送信した使用回数が記憶される。
【００７５】
図８は、歌詞管理サーバ５０のＣＰＵ５２により実行される歌詞送信プログラムの歌詞管理処理を説明するフローチャートである。歌詞管理サーバ５０は、歌詞管理処理を実行することにより、ステップＳ２１０〜ステップＳ２７０の処理を実行する。具体的には、歌詞管理サーバ５０は、通信装置２０から、通信装置２０が使用する通信回線の種類を含む歌詞取得要求を取得し、歌詞取得要求に含まれる通信回線の種類に応じた種類の歌詞データを、通信装置２０に送信する。
【００７６】
ステップＳ２１０では、通信装置２０から通信回線の種類と、通信装置２０においてディスプレイ２１に表示する設定された歌詞データの種類とを含む歌詞取得要求を取得したか否かが判断される。歌詞取得要求を取得したと判断されると（ステップＳ２０１：ＹＥＳ）、ステップＳ２２０の処理が行われる。歌詞取得要求を取得したと判断されないと（ステップＳ２０１：ＮＯ）、ステップＳ２１０の処理が繰り返される。
【００７７】
ステップＳ２２０では、接続されている通信回線は、無線ＬＡＮ通信であるか否かが判断される。無線ＬＡＮ通信であると判断されると（ステップＳ２２０：ＹＥＳ）、ステップＳ２４０の処理が実行される。無線ＬＡＮ通信であると判断されないと（ステップＳ２２０：ＮＯ）、ステップＳ２３０の処理が実行される。
【００７８】
ステップＳ２３０では、歌詞取得要求が行われた楽曲が、過去に歌詞データを取得したことがある楽曲か否かが判断される。過去に歌詞データを取得したことがある楽曲であると判断されると（ステップＳ２３０：ＹＥＳ）、ステップＳ２５０の処理が実行される。過去に歌詞データを取得したことがある楽曲であると判断されないと（ステップＳ２３０：ＮＯ）、ステップＳ２６０の処理が実行される。
【００７９】
ステップＳ２４０では、歌詞取得要求が行われた楽曲の全種類の歌詞データを、通信装置２０に取得させると決定する。ステップＳ２４０が実行されると、ステップＳ２７０の処理が行われる。
【００８０】
ステップＳ２５０では、通信装置２０においてディスプレイ２１に表示すると設定された種類の歌詞データを、通信装置２０に取得させると決定する。ステップＳ２５０が実行されると、ステップＳ２７０の処理が行われる。
【００８１】
ステップＳ２６０では、取得要求された楽曲の全種類の歌詞データのうち、過去の使用回数が最も多い種類の歌詞データを、通信装置２０に取得させると決定する。楽曲の各種類の歌詞データの使用回数は、歌詞管理サーバ５０の各楽曲の歌詞データの種類それぞれに対応付けて記憶されている。ステップＳ２６０が実行されると、ステップＳ２７０の処理が行われる。
【００８２】
ステップＳ２７０では、ステップＳ２４０〜ステップＳ２６０の処理のいずれかにおいて通信装置２０に取得させると決定された種類の歌詞データを、通信装置２０に送信する。ステップＳ２０７の処理が行われると、通信装置２０に送信した歌詞データの種類について、ＨＤＤ５５の楽曲歌詞記憶領域５５１に記憶された歌詞データの使用回数に１が加算される。ステップＳ２７０の処理が実行されると、ステップＳ２１０の処理に戻る。
【００８３】
［本発明と実施形態との対応］
本実施形態の楽曲の歌詞が、本発明のコンテンツの一例である。本実施形態の表示態様が異なる通常歌詞データＬ０と、和訳歌詞データＬ１と、ルビ付歌詞データＬ２と、カラオケ歌詞データＬ３との４種類の歌詞データＬが、本発明の表現形式が異なる複数種類の情報の一例である。本実施形態の携帯電話回線１００及び無線ＬＡＮ通信回線３００が、本発明の通信回線の一例である。本実施形態の携帯電話回線１００及び無線ＬＡＮ通信回線３００の通信回線により移動体通信システムを構築するネットワークが、本発明の移動体通信システムの一例である。本実施形態の歌詞管理サーバ５０が、本発明のサーバの一例であり、本実施形態の通信装置２０が、本発明の携帯通信端末の一例である。
【００８４】
本実施形態のＣＰＵ２２及びＣＰＵ２２により実行される楽曲再生表示処理のステップＳ２０の処理が、本発明の回線判断部及び回線判断ステップの一例である。本実施形態のＣＰＵ２２及びＣＰＵ２２により実行される楽曲再生表示処理のステップＳ３０２、Ｓ３０４、Ｓ３０６、Ｓ３０７またはＳ１２０の処理が、本発明の要求部及び要求ステップの一例である。本実施形態のステップＳ３０２、Ｓ３０４、Ｓ３０６、Ｓ３０７またはＳ１２０の処理により、再生する楽曲の歌詞を歌詞管理サーバ５０に要求することが情報要求の一例である。
【００８５】
本実施形態のＣＰＵ２２及びＣＰＵ２２により実行される楽曲再生ステップのステップＳ２０の処理及び楽曲限定取得処理のステップＳ３０の処理が、本発明の決定部及び決定ステップの一例である。本実施形態の携帯電話回線接続部２６Ａ及び無線ＬＡＮ接続部２６Ｂが、本発明の受信部の一例である。本実施形態のＣＰＵ２２により実行される楽曲再生表示処理のステップＳ５０の処理により、歌詞を歌詞管理サーバ５０から受信したと判断されることが（ステップＳ５０：ＹＥＳ）、本発明の受信ステップの一例である。本実施形態の歌詞データのデータサイズが、本発明の表示情報の情報量の一例である。本実施形態の通信装置２０がディスプレイ２１に表示した回数が、本発明の表示部に表示された回数の一例であり、歌詞管理サーバ５０が通信装置２０に送信した回数が、本発明の携帯通信端末に送信された回数の一例である。本実施形態のＣＰＵ２２及びＣＰＵ２２により実行されるステップＳ７０、Ｓ８０、Ｓ１５０、Ｓ１６０の処理により、ディスプレイ２１に歌詞を表示させる処理が、本発明の表示制御部の一例である。
【００８６】
本実施形態の歌詞取得システム１が使用される日を含む当月内に、携帯電話回線１００を使用して通信された通信量の総計が、本発明の所定の期間に通信された通信量の一例である。また、本実施形態の歌詞取得システム１が使用される日を含む当月の累積通信量２５％、５０％及び７５％が、本発明の所定の期間の通信量についての、所定の閾値の一例である。本実施形態のＣＰＵ２２及びＣＰＵ２２により実行されるステップＳ３０１、Ｓ３０３及びＳ３０５の処理の処理が、本発明の通信量判断部の一例である。本実施形態のＣＰＵ２２及びＣＰＵ２２により実行されるステップＳ３０２、Ｓ３０４、Ｓ３０６、Ｓ３０７の処理が、本発明の制限部の一例である。
【００８７】
（変形例）
本実施形態では、歌詞管理サーバ５０が、ＨＤＤ５５を備え、楽曲歌詞記憶領域５５１に歌詞データ及び歌詞データを通信装置２０に送信した回数を記憶しているが、歌詞データ及び歌詞データを通信装置２０に送信した回数は、歌詞管理サーバ５０に記憶されていなくてもよい。例えば、歌詞管理サーバ５０と通信可能なデータベースに記憶されてもよく、クラウドサービスのように、歌詞管理サーバ５０とネットワークに接続された記憶装置などに記憶されてもよい。
【００８８】
本実施形態において、通信装置２０が、ディスプレイ２１に表示した回数を、表示態様が異なる歌詞データごとに楽曲情報記憶領域２５１に記憶する。そして、歌詞管理サーバ５０が、通信装置２０に送信した回数を、表示態様が異なる歌詞データごとに楽曲歌詞記憶領域５５１に記憶する。しかしながら、通信装置２０が、種類を指定して歌詞データを取得する要求をする場合には、歌詞管理サーバ５０は、通信装置２０に送信した回数を記憶しなくてもよい。また、歌詞管理サーバ５０が、歌詞データを通信装置２０に送信した回数を記憶し、その記憶された回数に従って、通信装置２０に送信する歌詞データの種類を定める場合は、通信装置２０は、ディスプレイ２１に表示した回数を記憶しなくてもよい。
【００８９】
また、通信装置２０が、携帯電話回線により歌詞データを取得する場合に、取得が制限される歌詞データの種類及び数と、その優先順位とは、本実施形態の歌詞データのデータサイズ、ディスプレイ２１に表示した回数、及び累積通信量に限られない。例えば、取得する歌詞データの優先順位は、歌詞管理サーバ５０により一定順位に定められてもよく、通信装置２０のユーザにより設定されてもよい。また、携帯電話回線の通信速度などの通信装置２０の使用状態により、取得する歌詞データの種類及び数を定めてもよい。
【００９０】
本発明において、通信量を判断するための所定の期間及び所定の閾値は、上述した過去半年間及び歌詞取得システム１が使用される日を含む当月の通信量の２５％、５０％、７５％に限らない。所定の期間及び所定の閾値は、通信装置２０のユーザまたは、歌詞管理サーバ５０を管理する管理者が定める期間及び閾値であればよい。また、本実施形態において、上限値は、移動体通信システムを提供する会社が定める値であるが、これに限らない。上限値は、通信装置２０のユーザにより、一または複数の上限値が定められてもよい。
【００９１】
本実施形態において、無線ＬＡＮ通信モードは、ユーザが通信装置２０のディスプレイ２１の無線ＬＡＮ設定領域２１ａのＯＮ／ＯＦＦ設定の表示にタッチすることにより、ＯＮまたはＯＦＦに切り換えられる。この方法のほか、自動で携帯電話通信回線を使用するモードから切り換えられてもよい。通信装置２０が、携帯電話通信回線を使用しているときに、無線ＬＡＮ通信の電波を検知し、無線ＬＡＮ通信回線が使用可能であると判断したとき、自動で無線ＬＡＮ通信モードへ切り換えられてもよい。
【００９２】
本実施形態において、通信装置２０に記憶される各プログラムは、通信装置２０に予め記憶されている。この他、各プログラムは、プログラムを提供するサーバから、ネットワークを介して通信装置２０にダウンロードし、インストールすることにより、使用される構成としてもよい。また、各プログラムは、サーバからダウンロードする方法のほか、各通信装置２０間で、授受が行われてもよい。
【符号の説明】
【００９３】
１  歌詞取得システム
２０  通信装置
２１ａ  無線ＬＡＮ設定領域
２２  ＣＰＵ
２３  ＲＯＭ
２３１  楽曲再生表示プログラム記憶領域
２４  ＲＡＭ
２４１  累積通信量記憶領域
２４２  通信回線記憶領域
２４４  表示歌詞設定記憶領域
２６Ａ  携帯電話回線接続部
２６Ｂ  無線ＬＡＮ接続部
５０  歌詞管理サーバ
５２  ＣＰＵ
５３  ＲＯＭ
５５  ＨＤＤ
５５１  楽曲歌詞記憶領域
５６  ネットワーク接続部
１００  携帯電話回線
３００  無線ＬＡＮ通信回線
【図１】
0005704348.tif 000002
【図２】
0005704348.tif 000003
【図３】
0005704348.tif 000004
【図４Ａ】
0005704348.tif 000005
【図４Ｂ】
0005704348.tif 000006
【図５】
0005704348.tif 000007
【図６】
0005704348.tif 000008
【図７】
0005704348.tif 000009
【図８】
0005704348.tif 000010